(57)【要約】【課題】  マイクロ・コネクタの信頼性を改善する。【解決手段】  電気コネクタ１００には、本体１０６、基部１０７及びテーパ端部１０８がある。本体１０６は、電気ケーブルに接続される。基部１０７は、基部１０７の第１端部で本体１０６に隣接し、基部１０７の第２端部に外側肩部１０９がある。テーパ端部１０８は、外側肩部１０９から第２方向に伸びて先細りする。テーパ端部１０８には、スロット１１３で区切られた複数のフィンガー１１２がある。フィンガー１１２は、第２方向に、基部１０７からフィンガー１１２の末端部まで伸びる。スロット１１３は、テーパ端部１０８を通して放射状に伸びている。スロット１１３は、更に、その末端から外側肩部１０９を通過して第１方向に同軸状に伸びている。【選択図】図２
2017073385.tif 000002
【特許請求の範囲】
【請求項１】
同軸方向に第１方向と反対の第２方向に伸びる電気コネクタであって、
電気ケーブルに接続されるよう構成される本体と、
第１端部で上記本体に隣接し、第２端部に外側肩部を有し、外径が上記本体の外径よりも小さい基部と、
上記基部の上記外側肩部から上記第２方向に伸びて細くなるテーパ端部とを具え、
該テーパ端部は、スロットで区切られた複数の弾性フィンガーであって、上記基部から上記第２方向に上記弾性フィンガーの末端部まで伸びる複数の上記弾性フィンガーを有し、上記スロットは、上記テーパ端部を通過して放射状に伸び、更に上記スロットは、上記弾性フィンガーの末端部から上記外側肩部を通過して同軸方向に伸びている電気コネクタ。
【請求項２】
上記電気コネクタを通して電気信号を伝達するよう構成される中心導体を更に具え、
上記基部は、上記中心導体の一部を同軸方向に囲む誘電体を更に有する請求項１の電気コネクタ。
【請求項３】
上記基部の周辺を囲む継ぎ環を更に具え、
該継ぎ環の外径が、上記本体の外径とほぼ等しい請求項１の電気コネクタ。
【請求項４】
上記電気コネクタの上記テーパ端部を繰り返し受けると共に解放するよう構成されるシュラウド・コネクタを更に具える請求項１の電気コネクタ。
【請求項５】
電気ケーブルと係合するよう構成される第１端部と、
シュラウド・コネクタと係合するよう構成される第２端部とを具え、
該第２端部は、テーパ部分と、非テーパ部分と、上記テーパ部分及び上記非テーパ部分を分離する肩部とを有し、上記テーパ部分は、スロットで区分されると共に上記肩部から長手方向に上記テーパ部分の末端部まで伸びる複数の弾性フィンガーを含み、上記スロットは、上記テーパ部分を通して横断して伸びると共に上記弾性フィンガーの末端部から上記非テーパ部分の一部分まで長手方向に伸びている電気コネクタ。
【発明の詳細な説明】
【技術分野】
【０００１】
本発明は、ケーブル用の電気コネクタに関し、特に、ブラインド係合ＲＦコネクタに関する。
【背景技術】
【０００２】
同軸ケーブル（言い換えると、Ｃｏａｘ）は、多くの場合において、内側絶縁層に囲まれる内部導体（つまり、コア）を有する。絶縁層は、次に、織り導電性シールド又は編組導電性シールドに囲まれ、当該シールドは、通常、接地接続される。また、このケーブルは、多くの場合において、編組導体を覆う外側絶縁層を含む。内部導体及び編組導体で長手方向軸を共有するため、これらは同軸になっていると言える。こうした同軸ケーブルは、高速又は高忠実度信号を含む無線周波数（ＲＦ）信号用の伝送線として一般的に使用される。
【０００３】
ケーブルをその他の部品に対して電気的に接続可能とするために、ケーブルの端部は、多くの場合において、コネクタで終端処理されている。これらケーブル終端コネクタは、次に、他のコネクタに接続されることがある。そこで、従来、多数の異なるコネクタがあり、これらは、サイズ、固定機構及び構成によって異なる。マイクロ・サイズのコネクタの異なる形式の例としては、Ｇ３ＰＯ、Ｇｏｒｅ１００及びＳＭＰＳがある。
【先行技術文献】
【特許文献】
【０００４】
【特許文献１】特開２００８−１４７０９４号公報
【特許文献２】特開２００１−１５５８００号公報
【非特許文献】
【０００５】
【非特許文献１】「重量ポンド毎平方インチ」の記事中の「ksi」の項、Wikipedia、［online］、［２０１６年９月１１日検索］、インターネット<https://ja.wikipedia.org/wiki/重量ポンド毎平方インチ>
【発明の概要】
【発明が解決しようとする課題】
【０００６】
ケーブルで伝送される高速又は高忠実度信号のために、速度及び性能要求は高まっているが、同軸コネクタのサイズは小さくなっている。このように物理的な構造が小さくなると、製造のしやすさ、再現性、設計上の余裕に関して、課題を突きつけるものとなる。例えば、いくつかの従来のマイクロ・サイズ・コネクタには、フレキシブル・フィンガーがあり、これは、典型的な挿入及び引き抜きサイクルの間に、屈曲する、つまり、恒久的に変形する。これは、間欠的な接続、信号損失又は吸収、性能不足及び信頼性不足の原因となり得る。
【０００７】
本発明の実施形態は、従来のこれら及び他の課題に取り組むものである。
【課題を解決するための手段】
【０００８】
開示する主題の実施形態は、ブラインド係合コネクタを提供し、通常、ブラインド係合コネクタの部材を屈曲させることなく、シュラウド・コネクタ（shroud connector）のような係合コネクタに対して繰り返し挿入及び引き抜きされる弾性フィンガー（resilient fingers）を有する。
【０００９】
結果的に、電気コネクタの少なくともいくつかの実施形態には、本体、基部及びテーパ端部を含むとして良い。この電気コネクタは、同軸状に第１方向と反対の第２方向へと伸びている。本体は、電気ケーブルに接続されるよう構成される。基部は、基部の第１端部で本体と隣接し、基部の第２端部に外側肩部がある。基部は、本外の外径よりも小さい外径も有する。テーパ端部は、基部の外側肩部から第２方向に伸びて先細りする。テーパ端部には、スロットで区切られた複数の弾性フィンガーがある。これら弾性フィンガーは、第２方向に、基部から弾性フィンガーの末端まで伸びる。スロットは、テーパ端部を通して放射状に伸びる。スロットは、更に、弾性フィンガーの末端部から基部の外側肩部を通って第１方向に同軸状に伸びる。
【００１０】
別の観点では、電気コネクタの少なくともいくつかの実施形態は、第１端部及び第２端部を含んでいても良い。第１端部は、電気ケーブルと係合するよう構成される。第２端部は、シュラウド・コネクタと係合するよう構成される。第２端部には、テーパ部分と、非テーパ部分と、テーパ部分及び非テーパ部分を分離する肩部がある。テーパ部分は、スロットで区分される複数の弾性フィンガーを含む。弾性フィンガーは、肩部から長手方向にテーパ部分の末端部まで伸びる。スロットは、テーパ部分を通して横断して伸びると共に弾性フィンガーの末端部から非テーパ部分の一部分まで長手方向に伸びている。
【００１１】
よって、電気コネクタの実施形態は、シュラウド・コネクタと、ケーブル端部を終端するコネクタとの間に、丈夫で信頼性の高い接続を提供する。
【図面の簡単な説明】
【００１２】
【図１】図１は、同軸ケーブルに接続された本発明の実施形態によるコネクタ・アセンブリの斜視図である。
【図２】図２は、ブラインド係合コネクタの側面図であり、これは、図１のコネクタ・アセンブリの一部分である。
【図３】図３は、図２のブラインド係合コネクタの端面図である。
【図４】図４は、図１のコネクタ・アセンブリの部分軸上断面図であり、シュラウドが、コネクタ・アセンブリの残り部分から分離されている。
【図５】図５は、図１のコネクタ・アセンブリの部分軸上断面図である。
【図６】図６は、図１に示すブラインド係合コネクタの断面図であり、その断面が複数スロットの中の２つを通るように取られている。
【図７】図７は、試験測定装置の入力部に装着されたシュラウド・コネクタを示す図である。
【発明を実施するための形態】
【００１３】
本願で説明するように、本発明の実施形態は、電気コネクタと、こうした電気コネクタに組み込まれるコネクタ・アセンブリに関する。この電気コネクタは、シュラウド・コネクタ（これは、電気的装置に静的に装着されていても良い）と、ケーブルの端部を終端するケーブル端部コネクタとの間に、丈夫で信頼性のある接続を提供する。この電気コネクタは、複数の弾性フィンガーがあり、通常、電気コネクタの部材を屈曲させることなく、シュラウド・コネクタに繰り返し挿入され、シュラウド・コネクタから繰り返し引き抜かれる。
【００１４】
図１は、コネクタ・アセンブリ１００の斜視図である。図１に示すようなコネクタ・アセンブリ１００の実施形態には、ブラインド係合コネクタ１０１、ケーブル端部コネクタ１０２、シュラウド・コネクタ１０３及び継ぎ環（collar）１０４があるとしても良い。
【００１５】
ケーブル端部コネクタ１０２は、同軸ケーブル１０５のようなケーブルを終端するよう構成される任意のコネクタとして良い。ケーブル端部コネクタ１０２は、ブラインド係合コネクタ１０１と係合するよう構成される。例えば、ケーブル端部コネクタ１０２がブラインド係合コネクタ１０１に対してねじ山を切ってあっても良いし、又は、ケーブル端部コネクタ１０２が、ブラインド係合コネクタ１０１の一部の中か又は周りにスライドするようにしても良い。他の係合構成も、可能である。
【００１６】
シュラウド・コネクタ１０３は、ブラインド係合コネクタ１０１と係合するよう構成される。具体的には、シュラウド・コネクタ１０３は、図４及び５に関して、以下でもっと充分に説明するように、ブラインド係合コネクタ１０１のテーパ（先細りする）端部１０８を受けたり、解放（release：解除）したりを繰り返すよう構成される。典型的には、シュラウド・コネクタ１０３は、印刷回路基板のような別のコンポーネント、別のＲＦコネクタ、又は、図７の試験測定装置１２６のような試験測定装置の入力部に静的に（静止状態で）装着される。
【００１７】
図２は、ブラインド係合コネクタ１０１の側面図であり、これは、図１のコネクタ・アセンブリ１００のようなコネクタ・アセンブリの一部分である。図３は、図２のブラインド係合コネクタ１０１の端面図である。図２及び３に示すようなブラインド係合コネクタ１０１には、本体１０６と、基部１０７と、シュラウド・コネクタ１０３に挿入されるよう構成されるテーパ端部１０８とがある。本体１０６は、同軸ケーブル１０５のような電気ケーブルに接続されるよう構成される。本体１０６及び電気ケーブル間の接続は、ケーブル端部コネクタ１０２によっても良い。テーパ端部１０８は、ブラインド係合コネクタ１０１の外側肩部１０９から伸びている。好ましくは、外側肩部１０９は、以下で図４及び５に関してもっと充分に説明するように、誘電体１１１の最右端に一致する。外側肩部１０９は、おおよそ、ほぼテーパのない基部１０７とテーパ部１０８との間の遷移部分である。
【００１８】
図２及び４に示すように、基部１０７は、本体１０６に隣接するか、さもなくば、本体１０６と接続している。基部１０７の外径は、本体１０６の外径よりも小さい。
【００１９】
テーパ端部１０８には、ブラインド係合コネクタ１０１の基部１０７から伸びる複数の弾性フィンガー１１２がある。好ましくは、２、４、６又は８個のフィンガーのように、偶数個の弾性フィンガー１１２がある。より好ましくは、４個の弾性フィンガー１１２がある。テーパ端部１０８から見た場合、弾性フィンガー１１２は、例えば、図３に示すように、アーチ形であっても良い。
【００２０】
弾性フィンガー１１２は、放射状に（radially）間隔のある複数スロット１１３によって、区切られている。スロット１１３は、例えば、図３に示すように、放射状に又は横に（transversely）テーパ端部を通って伸びている。好ましくは、スロット１１３は、ブラインド係合コネクタ１０１のテーパ端部１０８の周りに等間隔で配置される。例えば、もし４個のスロット１１３があれば、各スロット１１３は、隣のスロット１１３から約９０度にあるとしても良い。いくつかの実施形態では、スロット１１３は、等間隔で配置せず、隣接するスロット１１３のいくつかの対は、他の隣接するスロット１１３の対に比較して、半径方向に近いか又は遠いとしても良い。例えば、もし３つのスロット１１３があるなら、これらスロットの１つは、一方の隣接スロットから９０度にあり、他方の隣接スロットから１５０度にあり、これら２つの隣接スロットは、従って、この例では、互いに１２０度にあるとしても良い。
【００２１】
好ましくは、各スロット１１３は、ブラインド係合コネクタ１０１の外側肩部１０９を通って超えて長手、つまり軸方向に伸びる。このため、スロット１１３は、通常、例えば、図２に示すように、基部１０７の一部分へと伸びる。より好ましくは、各スロット１１３は、図４及び５に示すように、誘電体１１１の最右端部１１０も超えて伸び、よって、誘電体１１１と重なる（オーバーラップする）。よって、ブラインド係合コネクタ１０１のフィンガー１１２は、誘電体１１１とは重ならない従来のコネクタ中のフィンガーよりも長い。ブラインド係合コネクタ１０１のより長いフィンガー１１２は、典型的な使用中において、弾性フィンガー１１２をシュラウド・コネクタ１０３に挿入し、シュラウド・コネクタ１０３から引き抜くのを繰り返す場合に、ストレス（stress）を低減することになる。
【００２２】
各弾性フィンガーには、基部端部１１４と末端部１１５がある。基部端部１１４は、ブラインド係合コネクタ１０１の基部１０７に接続される。末端部１１５には、フィレット（fillet）、つまり、突出エッジ１１６があり、これは、フィンガーの末端部１１５から横に（transversely）又は放射方向（radially：半径方向）に伸びている。複数の弾性フィンガー１１２の複数の突出エッジ１１６は、まとめると、外径１１７がある。突出エッジ１１６は、おおよそ、円形とするか、又は、別の状況では、テーパ端部１０８のシュラウド・コネクタ１０３への挿入及びシュラウド・コネクタ１０３からの引き抜きの繰り返しを容易にするよう構成される。
【００２３】
好ましくは、フィンガー１１２は、約１５０ｋｓｉ（１,０３４,２１４,０００Ｐａ）よりも大きな降伏力（yield strength）を有する金属又は合金から形成され、ここで、「ｋｓｉ」は、キロ・パウンド・パー・スクエア・インチ（kilo pounds per square inch）を意味する（非特許文献１参照）。降伏力は、例としては、ＡＳＴＭ  Ｅ８に従って、０.２％オフセット・イールド・ポイントを用いて、求めても良い。より好ましくは、フィンガー１１２は、ベリリウム銅から形成しても良い。更にいっそう好ましくは、フィンガー１１２は、フル・ハードのテンパー度（full hard temper：調質度）で、約１８５ｋｓｉ（１,２７５,５３０,６００Ｐａ）の降伏力を有するベリリウム銅から形成しても良い。開示されるブラインド係合コネクタ１０１の実施形態は、典型的な使用時にブラインド係合コネクタ１０１をシュラウド・コネクタ１０３に挿入し、続いて、引き抜くを繰り返す場合のような弾性フィンガー１１２のサイクル中に、部材の降伏力以下で動作するよう設計される（１ｋｓｉ＝１０００ｐｓｉ＝６,８９４,７６０Ｐａ（パスカル）、計量単位令  別表第七（第八条関係）第１１号（圧力）、第１２号（応力）参照、psi＝pounds per square inch：重量ポンド毎平方インチ）。
【００２４】
図４は、図１のコネクタ・アセンブリ１００の部分断面図であり、シュラウド・コネクタ１０３は、コネクタ・アセンブリ１００の残りの部分から分離した状態にある。ケーブル端部コネクタ１０２は、断面で示めさず、シュラウド・コネクタ１０３の右端部も断面で示めしていない。ブラインド係合コネクタ１０１の内部には、誘電体１１１と中心導体１２５がある。ブラインド係合コネクタ１０１の中心導体１２５は、中心導体１２５の左端部１２０でケーブル端部コネクタ１０２と電気的に接続し、中心導体１２５の右端部１１８でシュラウド・コネクタ１０３の中心ピン１１９と電気的に接続するよう構成される。よって、ＲＦ信号のような信号は、同軸ケーブル１０５（図１参照）から、ケーブル端部コネクタ１０２及びブラインド係合コネクタ１０１を通って、シュラウド・コネクタ１０３へと通過する。
【００２５】
ブラインド係合コネクタ１０１の誘電体１１１は、おおよそ、中心導体１２５の長手方向の部分を囲んでいる。例えば、誘電体１１１は、図４に示すような中心導体１２５の基部１０７の範囲内の周りを囲んでいる。誘電体１１１には、最右端部１１０があって、誘電体１１１が概してブラインド係合コネクタ１０１のテーパ端部１０８まで同軸状に伸びないようにしている。外側肩部１０９（図２参照）は、誘電体１１１の最右端部１１０におおよそ一致している。言い換えると、外側肩部１０９は、例えば、図４に示すように、誘電体１１１の最右端部１１０と横方向に又は軸方向に揃っている。
【００２６】
また、図４に示すように、継ぎ環１０４が、ブラインド係合コネクタ１０１の基部１０７（図２参照）を周辺において囲み、基部１０７の直ぐ隣にある。継ぎ環１０４の外径は、本体１０６の外径にほぼ等しい。継ぎ環１０４は、ブラインド係合コネクタ１０１の基部１０７の外部表面上に圧入しても良いが、別の手法を用いて継ぎ環１０４をブラインド係合コネクタ１０１に取り付けても良い。
【００２７】
継ぎ環１０４は、ブラインド係合コネクタ１０１を通過する信号を電気的にシールドするよう構成される。好ましくは、継ぎ環１０４は、金属のような導電性材料から形成される。より好ましくは、継ぎ環１０４は、ステンレス・スチールから形成される。更にいっそう好ましくは、継ぎ環１０４は、非めっきのステンレス・スチールから形成される。
【００２８】
継ぎ環１０４は、図４及び５に示すように、本体１０６に隣接し、外側肩部１０９を超えて（図示するように、外側肩部１０９の右へと）同軸状に伸びる。このため、図５に示すように、ブラインド係合コネクタ１０１がシュラウド・コネクタ１０３まで組み合わせると、継ぎ環１０４は、本体１０６に沿って、コネクタ・アセンブリ１００を通過する信号の連続的なシールドを提供する。
【００２９】
図５は、図１のコネクタ・アセンブリ１００の部分軸上断面図であり、シュラウド・コネクタ１０３は、コネクタ・アセンブリ１００に係合している。ケーブル端部コネクタ１０２は、断面で示さず、シュラウド・コネクタ１０３の右端部も断面で示していない。ブラインド係合コネクタ１０１をシュラウド・コネクタ１０３へ接続するため、ブラインド係合コネクタ１０１のテーパ端部１０８は、シュラウド・コネクタ１０３の対応するテーパ（先細りする）道管（channel）に挿入するようにしても良い。テーパ道管１２１は、弾性フィンガー１１２の突出エッジ１１６の集合の外径１１７（図２）よりも小さい内径１２２へと狭くなる。よって、フィンガー１１２は、ブラインド係合コネクタ１０１がシュラウド・コネクタ１０３に挿入されると、テーパ道管１２１によって、半径方向に（radially）圧縮される。フィンガー１１２が半径方向に圧縮されるので、フィンガー１１２は、続いて、ブラインド係合コネクタ１０１内の誘電体１１１を圧縮することになる。テーパ道管１２１の第２端部には、放射状溝１２３があり、これは、弾性フィンガー１１２の突出エッジ１１６全体を受けるよう構成される。放射状溝１２３の内径１２４は、テーパ道管１２１の内径１２２よりも大きい。よって、フィンガー１１２の弾性のために、フィンガー１１２は、放射状溝１２３へと放射状（半径方向）に広がり、ブラインド係合コネクタ１０１がシュラウド・コネクタ１０３へと固定される。ブラインド係合コネクタ１０１をシュラウド・コネクタ１０３から分離するには、同軸上の力が、ブラインド係合コネクタ１０１へか又はシュラウド・コネクタ１０３へと加えられ、記載したばかりのプロセスを逆にする。
【００３０】
図６は、ブラインド係合コネクタ１０１の断面図であり、その断面が複数スロット１１３の中の２つを通るように取られている。
【００３１】
「右」、「左」及び「最右」のような方向は、都合上用いており、図中に与えられた見え方を基準にしている。しかし、コネクタ・アセンブリ１００は、実際の使用では、多数の幾何学的配置が有り得る。よって、図中の垂直方向、水平方向、右方向又は左方向は、実際の使用では、同じ幾何学的配置又は方向ではないことなる。更には、同軸方向は、長手軸に沿った又は平行を意味する一方、横方向（transverse）及び放射方向（radial：半径方向）の夫々は、長手軸に対して垂直を意味する。
【００３２】
開示主題の上述のバージョンは、記載された又は当業者には明らかな多数の利点がある。そうであっても、これら利点及び特徴の全てが、開示される装置、システム又は方法の全てのバージョンで必要なわけではない。
【００３３】
加えて、この記載では、特定の特徴（feature）に言及している。この明細書での開示は、これら特徴の有り得る全ての組み合わせを含むことが理解できよう。例えば、特定の特徴が、特定の観点又は実施形態の状況において開示される場合、その特徴は、可能な場合には、別の観点又は実施形態の状況においても利用可能である。
【００３４】
更には、用語「を具える（comprises）」及びその文法的に等価なものが、本願で使用されるのは、他のコンポーネント、特徴（feature：機能）、ステップ、プロセス、動作などがオプションで存在することを意味する。例えば、コンポーネントＡ、Ｂ及びＣを具える物品は、コンポーネントＡ、Ｂ及びＣだけを含んでも良いし、又は、コンポーネントＡ、Ｂ及びＣを、１つ以上の他のコンポーネントと共に含んでも良い。
【００３５】
説明の都合上、本発明の特定の実施形態を示し、説明してきたが、本発明の要旨及び範囲から離れることなく、種々の変形を行うことができると理解できよう。例えば、本発明は、以下のように記述しても良い。
【００３６】
本発明の概念１は、同軸方向に第１方向と反対の第２方向に伸びる電気コネクタであって、該電気コネクタは、
電気ケーブルに接続されるよう構成される本体と、
第１端部で上記本体に隣接し、第２端部に外側肩部を有し、外径が上記本体の外径よりも小さい基部と、
上記基部の上記外側肩部から上記第２方向に伸びて細くなるテーパ端部とを具え、
該テーパ端部は、スロットで区切られた複数の弾性フィンガーであって、上記基部から上記第２方向に上記弾性フィンガーの末端部まで伸びる複数の上記弾性フィンガーを有し、上記スロットは、上記テーパ端部を通過して放射状に伸び、更に上記スロットは、上記弾性フィンガーの末端部から上記外側肩部を通過して同軸方向に伸びている。
【００３７】
本発明の概念２は、上記概念１の電気コネクタであって、上記電気コネクタを通して電気信号を伝達するよう構成される中心導体を更に具え、上記基部は、上記中心導体の一部を同軸方向に囲む誘電体を更に有している。
【００３８】
本発明の概念３は、上記概念２の電気コネクタであって、電気ケーブルの一端部にケーブル端部コネクタを更に具え、このとき、上記本体は、上記ケーブル端部コネクタと接続するよう構成される。
【００３９】
本発明の概念４は、上記概念２の電気コネクタであって、このとき、上記外側肩部は、上記電気コネクタ内において、上記誘電体のある範囲と同軸方向で一致している。
【００４０】
本発明の概念５は、上記概念４の電気コネクタであって、このとき、上記スロットは、上記第１方向に伸び、上記第２方向に上記誘電体のある範囲を超えて伸びている。
【００４１】
本発明の概念６は、上記概念１の電気コネクタであって、このとき、上記スロットは、上記テーパ端部の周りに放射状に等間隔に配置されている。
【００４２】
本発明の概念７は、上記概念６の電気コネクタであって、このとき、上記スロットは、約９０度で放射状に配置された４つのスロットである。
【００４３】
本発明の概念８は、上記概念１の電気コネクタであって、このとき、上記弾性フィンガーは、１５０ｋｓｉ（１,０３４,２１４,０００Ｐａ）よりも大きい降伏力（yield strength）を有する金属から構成される。
【００４４】
本発明の概念９は、上記概念１の電気コネクタであって、このとき、上記フィンガーは、フル・ハードのテンパー度（full hard temper）で約１８５ｋｓｉ（１,２７５,５３０,６００Ｐａ）の降伏力（yield strength）を有するベリリウム銅から構成される。
【００４５】
本発明の概念１０は、上記概念１の電気コネクタであって、上記基部の周辺を囲む継ぎ環を更に具え、該継ぎ環の外径は、上記本体の外径とほぼ等しい。
【００４６】
本発明の概念１１は、上記概念１０の電気コネクタであって、このとき、上記継ぎ環は、該継ぎ環の第１端部で上記本体に隣接し、上記継ぎ環の第２端部は、上記第２方向に上記外側肩部を同軸方向に超えて伸びている。
【００４７】
本発明の概念１２は、上記概念１０の電気コネクタであって、このとき、上記継ぎ環は、導電性であり、上記電気コネクタを通過する電気信号をシールドするよう構成される。
【００４８】
本発明の概念１３は、上記概念１の電気コネクタであって、該電気コネクタの上記テーパ端部を繰り返し受けると共に解放するよう構成されるシュラウド・コネクタを更に具えている。
【００４９】
本発明の概念１４は、電気コネクタであって、
電気ケーブルと係合するよう構成される第１端部と、
シュラウド・コネクタと係合するよう構成される第２端部とを具え、
該第２端部は、テーパ部分と、非テーパ部分と、上記テーパ部分及び上記非テーパ部分を分離する肩部とを有し、上記テーパ部分は、スロットで区分されると共に上記肩部から長手方向に上記テーパ部分の末端部まで伸びる複数の弾性フィンガーを含み、上記スロットは、上記テーパ部分を通して横断して伸びると共に上記弾性フィンガーの末端部から上記非テーパ部分の一部分まで長手方向に伸びている。
【００５０】
本発明の概念１５は、上記概念１４の電気コネクタであって、該電気コネクタを通して電気信号を伝達するよう構成される中心導体を更に具え、上記非テーパ部分が、上記中心導体のある範囲を同軸方向に囲む誘電体を更に含んでいる。
【００５１】
本発明の概念１６は、上記概念１５の電気コネクタであって、このとき、上記肩部は、上記電気コネクタ内において、横方向において、上記誘電体の長手方向の範囲に一致している。
【００５２】
本発明の概念１７は、上記概念１６の電気コネクタであって、このとき、上記スロットが、長手方向に上記誘電体と重なっている。
【００５３】
本発明の概念１８は、上記概念１４の電気コネクタであって、上記非テーパ部分に隣接して囲む継ぎ環を更に具え、このとき、該継ぎ環は、上記テーパ部分の一部分をも囲むように上記肩部を長手方向に超えて伸びている。
【００５４】
本発明の概念１９は、上記概念１８の電気コネクタであって、このとき、上記継ぎ環は、導電性であり、上記電気コネクタを通過する電気信号をシールドするよう構成される。
【００５５】
本発明の概念２０は、上記概念１４の電気コネクタであって、このとき、記弾性フィンガーは、１５０ｋｓｉ（１,０３４,２１４,０００Ｐａ）より大きい降伏力を有する。
【符号の説明】
【００５６】
１００  コネクタ・アセンブリ 
１０１  ブラインド係合コネクタ 
１０２  ケーブル端部コネクタ
１０３  シュラウド・コネクタ 
１０４  継ぎ環 
１０５  同軸ケーブル
１０６  本体 
１０７  基部 
１０８  テーパ端部
１０９  外側肩部 
１１０  rightmost end
１１１  誘電体 
１１２  弾性フィンガー
１１３  スロット
１１４  基部端部
１１５  末端部
１１６  突出エッジ（フィレット）
１１７  外径 
１１８  右端部
１１９  中心ピン
１２０  左端部
１２１  テーパ道管
１２２  内径
１２３  放射状溝 
１２４  放射状溝の内径
１２５  中心導体
１２６  試験測定装置 
【図１】
2017073385.tif 000003
【図２】
2017073385.tif 000004
【図３】
2017073385.tif 000005
【図４】
2017073385.tif 000006
【図５】
2017073385.tif 000007
【図６】
2017073385.tif 000008
【図７】
2017073385.tif 000009
【外国語明細書】
【発明の名称】Electrical Connector
【技術分野】
【０００１】
This invention relates to an electrical connector for a cable, and, more particularly, to a blind-mate RF connector.
【背景技術】
【０００２】
Coaxial cable, or coax, generally has an inner conductor, or core, surrounded by an inner insulating layer. The insulating layer, in turn, is surrounded by a woven, or braided, conductive shield, which is typically connected to ground. This cable also generally includes an outer insulating layer that covers the braided conductor. Because the inner conductor and the braided conductor share a longitudinal axis, they are said to be coaxial. Such coaxial cables are commonly used as transmission lines for radio frequency (RF) signals, including high speed or high fidelity signals. 
【０００３】
To allow the cables to be electrically connected to other components, the ends of the cables are generally terminated with connectors. These cable-terminating connectors may in turn be connected to other connectors. Accordingly, there are many different conventional connectors, which vary based on size, fastening mechanism, and configuration. Examples of different types of micro scale connectors are G3PO, Gore100, and SMPS.
【先行技術文献】
【特許文献】
【０００４】
【特許文献１】特開２００８−１４７０９４号公報
【特許文献２】特開２００１−１５５８００号公報
【非特許文献】
【０００５】
【非特許文献１】「重量ポンド毎平方インチ」の記事中の「ksi」の項、Wikipedia、［online］、［２０１６年９月１１日検索］、インターネット<https://ja.wikipedia.org/wiki/重量ポンド毎平方インチ>
【発明の概要】
【発明が解決しようとする課題】
【０００６】
As speed and performance requirements increase for the high speed or high fidelity signals transmitted by the cables, the coaxial connectors are scaled down. These smaller physical structures present challenges with regard to manufacturability, repeatability, and design margin. For example, some conventional micro-scale connectors have flexible fingers that yield, or permanently deform, during a typical insertion and extraction cycle. This can cause intermittent connections, loss of signal or suck-outs, poor performance, and reliability deficiencies. 
【０００７】
Embodiments of the invention address these and other issues in the prior art.
【課題を解決するための手段】
【０００８】
Embodiments of the disclosed subject matter provide a blind-mate connector having resilient fingers that may be repeatedly inserted into and then removed from a mating connector, such as a shroud connector, generally without yielding the material of the blind-mate connector. 
【０００９】
Accordingly, at least some embodiments of an electrical connector may include a main body, a base portion, and a tapered end. The electrical connector extends axially in a first direction and an opposite second direction. The main body is configured to connect to an electrical cable. The base portion abuts the main body at a first end of the base portion and has an outer shoulder at a second end of the base portion. The base portion also has an outer diameter smaller than an outer diameter of the main body. The tapered end extends and tapers from the outer shoulder of the base portion in the second direction. The tapered end includes a plurality of resilient fingers separated by slots. The resilient fingers extend away from the base portion in the second direction to a distal end of the resilient fingers. The slots extend radially through the tapered end. The slots further extend axially in the first direction from the distal end of the resilient fingers through the outer shoulder of the base portion. 
【００１０】
In another aspect, at least some embodiments of an electrical connector may include a first end and a second end. The first end is configured to mate with an electrical cable. The second end is configured to mate with a shroud connector. The second end has a tapered portion, an untapered portion, and a shoulder separating the tapered portion and the untapered portion. The tapered portion includes a plurality of resilient fingers separated by slots. The resilient fingers extend longitudinally from the shoulder to a distal end of the tapered portion. The slots extend transversely through the tapered portion and longitudinally from the distal end of the resilient fingers to partially into the untapered portion.
【００１１】
Hence, embodiments of the electrical connector provide a durable and reliable connection between a shroud connector and a connector terminating an end of a cable.
【図面の簡単な説明】
【００１２】
【図１】Fig. 1 is a perspective view of a connector assembly, according to embodiments of the invention, connected to a coaxial cable.
【図２】Fig. 2 is a side view of a blind-mate connector, which is part of the connector assembly of Fig. 1.
【図３】Fig. 3 is an end view of the blind-mate connector of Fig. 2.
【図４】Fig. 4 is a partial, axial cross-section of the connector assembly of Fig. 1, with the shroud separated from the remainder of the connector assembly.
【図５】Fig. 5 is a partial, axial cross-section of the connector assembly of Fig. 1. 
【図６】Fig. 6 is a cross-section of the blind-mate connector shown in Fig. 1, with the cross section taken through two of the slots. 
【図７】Fig. 7 is a diagram showing a shroud connector mounted to an input of a test and measurement instrument.
【発明を実施するための形態】
【００１３】
As described herein, embodiments of the invention relate to an electrical connector and a connector assembly incorporating such an electrical connector. The electrical connector provides a durable and reliable connection between a shroud connector, which may be statically mounted to an electronic device, and a cable-end connector terminating an end of a cable. The electrical connector, which has resilient fingers, may be repeatedly inserted into and removed from the shroud connector, generally without yielding the material of the electrical connector. 
【００１４】
Fig. 1 is a perspective view of a connector assembly 100. Embodiments of the connector assembly 100, such as illustrated in Fig. 1, may include a blind-mate connector 101, a cable-end connector 102, a shroud connector 103, and a collar 104. 
【００１５】
The cable-end connector 102 may be any connector configured to terminate a cable, such as a coaxial cable 105. The cable-end connector 102 is configured to mate with the blind-mate connector 101. For example, the cable-end connector 102 may be threaded to the blind-mate connector 101, or the cable-end connector 102 may slide into or around a portion of the blind-mate connector 101. Other mating configurations are also possible. 
【００１６】
The shroud connector 103 is configured to mate with the blind-mate connector 101. Specifically, the shroud connector 103 is configured to repeatedly receive and release the tapered end 108 of the blind-mate connector 101, as more fully described below for Figs. 4 and 5. Typically, the shroud connector 103 is statically mounted to another component, such as a printed circuit board, another RF connector, or an input to a test and measurement instrument, such as the test and measurement instrument 126 of Fig. 7. 
【００１７】
Fig. 2 is a side view of a blind-mate connector 101, which may be part of a connector assembly, such as the connector assembly 100 of Fig. 1. Fig. 3 is an end view of the blind-mate connector 101 of Fig. 2. The blind-mate connector 101, such as illustrated in Figs. 2 and 3, has a main body 106, a base portion 107, and a tapered end 108 configured for insertion into the shroud connector 103. The main body 106 is configured to connect to an electrical cable, such as coaxial cable 105. The connection between the main body 106 and the electrical cable may be through the cable-end connector 102. The tapered end 108 extends from an outer shoulder 109 of the blind-mate connector 101. Preferably, the outer shoulder 109 corresponds to a rightmost end 110 of dielectric 111, as more fully described below for Figs. 4 and 5. The outer shoulder 109 is generally the transition between the substantially untapered base portion 107 and the tapered end 108. 
【００１８】
As illustrated in Figs. 2 and 4, the base portion 107 abuts or is otherwise continuous with the main body 106. The base portion 107 has an outer diameter smaller than an outer diameter of the main body 106. 
【００１９】
The tapered end 108 has a plurality of resilient fingers 112 extending from the base portion 107 of the blind-mate connector 101.  Preferably, there are an even number of resilient fingers 112, such as two, four, six, or eight fingers. More preferably, there are four resilient fingers 112.  When viewed from the tapered end 108, the resilient fingers 112 may be arcuate, as shown in Fig. 3, for example. 
【００２０】
The resilient fingers 112 are separated by radially spaced slots 113. The slots 113 extend radially or transversely through the tapered end, as shown in Fig. 3, for example. Preferably, the slots 113 are evenly spaced about the tapered end 108 of the blind-mate connector 101. For example, if there are four slots 113, each slot 113 may be about ninety degrees from the adjacent slots 113. In some embodiments, the slots 113 are not evenly spaced, meaning that some pairs of adjacent slots 113 may be radially closer or farther apart than other pairs of adjacent slots 113. For example, if there are three slots 113, one of the slots may be ninety degrees from one adjacent slot and one-hundred fifty degrees from the other adjacent slot, the two adjacent slots thus being one-hundred twenty degrees from each other in this example. 
【００２１】
Preferably, each slot 113 extends in a longitudinal or axial direction through and beyond the outer shoulder 109 of the blind-mate connector 101. Hence, the slots 113 generally extend into part of the base portion 107, as shown in Fig. 2, for example. More preferably, each slot 113 also extends beyond the rightmost end 110 of the dielectric 111, as shown in Figs. 4 and 5, thus overlapping the dielectric 111. Thus, the fingers 112 of the blind-mate connector 101 are longer than fingers in conventional connectors, which do not overlap the dielectric 111. The longer fingers 112 of the blind-mate connector 101 result in reduced stress when the resilient fingers 112 are repeatedly inserted into and then removed from the shroud connector 103 during typical use.
【００２２】
Each resilient finger has a base end 114 and a distal end 115. The base end 114 is connected to the base portion 107 of the blind-mate connector 101. The distal end 115 includes a fillet or protruding edge 116 that extends transversely or radially from the distal end 115 of the finger. Collectively, the protruding edges 116 of the resilient fingers 112 have an outer diameter 117. The protruding edges 116 are generally rounded or otherwise configured to facilitate repeated insertion into and removal of the tapered end 108 from the shroud connector 103. 
【００２３】
Preferably, the fingers 112 are made from a metal or alloy having a yield strength greater than about 150 ksi (1,034,214,000 Pa) wherein "ksi" means kilo pounds per square inch (see non-patent document 1).  Yield strength may be determined by using, as an example, a 0.2% offset yield point per ASTM E8. More preferably, the fingers 112 are made from beryllium copper. Even more preferably, the fingers 112 are made from beryllium copper having a full hard temper and a yield strength of about 185 ksi (1,275,530,600 Pa). Embodiments of the disclosed blind-mate connector 101 are designed to operate below the material’s yield strength when the resilient fingers 112 are cycled, such as when the blind-mate connector 101 is repeatedly inserted into and then removed from the shroud connector 103 during typical use.  （1 ksi = 1000 psi = 6,894,760 Pa（パスカル）、計量単位令  別表第七（第八条関係）第11号（圧力）、第12号（応力）参照、psi＝pounds per square inch：重量ポンド毎平方インチ）
【００２４】
Fig. 4 is a partial cross-section of the connector assembly 100 of Fig. 1, with the shroud connector 103 separated from the remainder of the connector assembly 100. The cable-end connector 102 is not shown in cross-section, nor is the right end of the shroud connector 103. The interior of the blind-mate connector 101 includes dielectric 111 and a center conductor 125. The center conductor 125 of the blind-mate connector 101 is configured to electrically connect with the cable-end connector 102 at a left end 120 of the center conductor 125 and a center pin 119 of the shroud connector 103 at a right end 118 of the center conductor 125. Thus, a signal, such as an RF signal, may pass from the coaxial cable 105 (see Fig. 1), through the cable-end connector 102 and the blind-mate connector 101, to the shroud connector 103. 
【００２５】
The dielectric 111 of the blind-mate connector 101 generally surrounds a longitudinal portion of the center conductor 125. For example, the dielectric 111 may surround the length of the center conductor 125 that is within the base portion 107, such as shown in Fig. 4. The dielectric 111 has a rightmost end 110 such that the dielectric 111 generally does not extend axially into the tapered end 108 of the blind-mate connector 101. The outer shoulder 109 (see Fig. 2) generally corresponds to the rightmost end 110 of dielectric 111. In other words, the outer shoulder 109 may be transversely or axially aligned with the rightmost end 110 of dielectric 111, as shown in Fig. 4, for example. 
【００２６】
Also as shown in Fig. 4, the collar 104 circumferentially surrounds the base portion 107 of the blind-mate connector 101 (see Fig. 2), immediately adjacent to the base portion 107. An outer diameter of the collar 104 is substantially equal to the outer diameter of the main body 106. The collar 104 may be press fit onto an outer face of the base portion 107 of the blind-mate connector 101, although other techniques may also be used to fit the collar 104 to the blind-mate connector 101. 
【００２７】
The collar 104 is configured to electrically shield a signal passing through the blind-mate connector 101. Preferably, the collar 104 is made from a conductive material, such as a metal. More preferably, the collar 104 is made from stainless steel. Even more preferably, the collar 104 is made from unplated stainless steel.
【００２８】
The collar 104 may abut the main body 106 and may extend axially beyond (i.e. to the right of, as illustrated) the outer shoulder 109, such as shown in Figs. 4 and 5. Hence, when the blind-mate connector 101 is assembled to the shroud connector 103, such as shown in Fig. 5, the collar 104, along with the main body 106, may provide continuous shielding of a signal passing through the connector assembly 100.
【００２９】
Fig. 5 is a partial cross-section of the connector assembly 100 of Fig. 1, with the shroud connector 103 mated to the connector assembly 100. The cable-end connector 102 is not shown in cross-section, nor is the right end of the shroud connector 103. To connect the blind-mate connector 101 to the shroud connector 103, the tapered end 108 of the blind-mate connector 101 may be inserted into a correspondingly tapered channel 121 of the shroud connector 103. The tapered channel 121 narrows to an inner diameter 122 that is less than the outer diameter 117 (Fig. 2) of the collective protruding edges 116 of the resilient fingers 112. Thus, the fingers 112 are radially compressed by the tapered channel 121 as the blind-mate connector 101 is inserted into the shroud connector 103. As the fingers 112 are radially compressed, the fingers 112 in turn may compress the dielectric 111 within the blind-mate connector 101. A second end of the tapered channel 121 includes a radial groove 123 that is configured to accept the collective protruding edges 116 of the resilient fingers 112. An inner diameter 124 of the radial groove 123 is greater than the inner diameter 122 of the tapered channel 121. Thus, due to the resiliency of the fingers 112, the fingers 112 radially expand into the radial groove 123, securing the blind-mate connector 101 to the shroud connector 103. To separate the blind-mate connector 101 from the shroud connector 103, axial force may be applied to blind-mate connector 101 or to the shroud connector 103, reversing the process just described. 
【００３０】
Fig. 6 is a cross-section of the blind-mate connector 101, with the cross-section taken through two of the slots 113.
【００３１】
Note that directions such as “right,” “left,” and “rightmost” are used for convenience and in reference to the views provided in figures. But the connector assembly 100 may have a number of orientations in actual use. Thus, a feature that is vertical, horizontal, to the right, or to the left in the figures may not have that same orientation or direction in actual use. Moreover, axially means along or parallel to the longitudinal axis, while transverse and radial each mean perpendicular to the longitudinal axis. 
【００３２】
The previously described versions of the disclosed subject matter have many advantages that were either described or would be apparent to a person of ordinary skill. Even so, all of these advantages or features are not required in all versions of the disclosed apparatus, systems, or methods. 
【００３３】
Additionally, this written description makes reference to particular features. It is to be understood that the disclosure in this specification includes all possible combinations of those particular features. For example, where a particular feature is disclosed in the context of a particular aspect or embodiment, that feature can also be used, to the extent possible, in the context of other aspects and embodiments. 
【００３４】
Furthermore, the term “comprises” and its grammatical equivalents are used in this application to mean that other components, features, steps, processes, operations, etc. are optionally present. For example, an article “comprising” or “which comprises” components A, B, and C can contain only components A, B, and C, or it can contain components A, B, and C along with one or more other components.
【００３５】
Although specific embodiments of the invention have been illustrated and described for purposes of illustration, it will be understood that various modifications may be made without departing from the spirit and scope of the invention.  For example, the present invention may be described as below.
【００３６】
A concept 1 of the present invention is an electrical connector extending axially in a first direction and an opposite second direction, the electrical connector comprising:
a main body configured to connect to an electrical cable;
a base portion abutting the main body at a first end of the base portion and having an outer shoulder at a second end of the base portion, the base portion having an outer diameter smaller than an outer diameter of the main body; and
a tapered end extending and tapering from the outer shoulder of the base portion in the second direction, the tapered end comprising a plurality of resilient fingers separated by slots and extending away from the base portion in the second direction to a distal end of the resilient fingers, the slots extending radially through the tapered end, and the slots further extending axially in the first direction from the distal end of the resilient fingers through the outer shoulder of the base portion. 
【００３７】
A concept 2 of the present invention is the electrical connector of the concept 1, further comprising a center conductor configured to carry an electrical signal through the electrical connector, and the base portion further comprises a dielectric axially surrounding a portion of the center conductor. 
【００３８】
A concept 3 of the present invention is the electrical connector of the concept 2, further comprising a cable-end connector at an end of an electrical cable, in which the main body is configured to connect to the cable-end connector. 
【００３９】
A concept 4 of the present invention is the electrical connector of the concept 2, in which the outer shoulder corresponds axially to an extent of the dielectric in the second direction within the electrical connector. 
【００４０】
A concept 5 of the present invention is the electrical connector of the concept 4, in which the slots extend in the first direction beyond the extent of the dielectric in the second direction. 
【００４１】
A concept 6 of the present invention is the electrical connector of the concept 1, in which the slots are evenly spaced radially about the tapered end. 
【００４２】
A concept 7 of the present invention is the electrical connector of the concept 6, in which the slots are four slots radially spaced by about ninety degrees. 
【００４３】
A concept 8 of the present invention is the electrical connector of the concept 1, in which the resilient fingers comprise a metal having a yield strength greater than 150 ksi (1,034,214,000 Pa). 
【００４４】
A concept 9 of the present invention is the electrical connector of the concept 1, in which the fingers comprise beryllium copper having a full hard temper and a yield strength of about 185 ksi (1,275,530,600 Pa). 
【００４５】
A concept 10 of the present invention is the electrical connector of the concept 1, further comprising a collar circumferentially surrounding the base portion, an outer diameter of the collar being substantially equal to the outer diameter of the main body. 
【００４６】
A concept 11 of the present invention is the electrical connector of the concept 10, in which the collar abuts the main body at a first end of the collar and a second end of the collar extends axially beyond the outer shoulder in the second direction. 
【００４７】
A concept 12 of the present invention is the electrical connector of the concept 10, in which the collar is conductive and is configured to shield an electrical signal passing through the electrical connector. 
【００４８】
A concept 13 of the present invention is the electrical connector of the concept 1, further comprising a shroud connector configured to repeatedly receive and release the tapered end of the electrical connector.
【００４９】
A concept 14 of the present invention is an electrical connector comprising:
a first end configured to mate with an electrical cable;
a second end configured to mate with a shroud connector, the second end having a tapered portion, an untapered portion, and a shoulder separating the tapered portion and the untapered portion, the tapered portion comprising a plurality of resilient fingers separated by slots and extending longitudinally from the shoulder to a distal end of the tapered portion, the slots extending transversely through the tapered portion and longitudinally from the distal end of the resilient fingers to partially into the untapered portion. 
【００５０】
A concept 15 of the present invention is the electrical connector of the concept 14, further comprising a center conductor configured to carry an electrical signal through the electrical connector, and the untapered portion further comprises a dielectric axially surrounding a length of the center conductor. 
【００５１】
A concept 16 of the present invention is the electrical connector of the concept 15, in which the shoulder corresponds transversely to a longitudinal extent of the dielectric within the electrical connector. 
【００５２】
A concept 17 of the present invention is the electrical connector of the concept 16, in which the slots longitudinally overlap the dielectric.
【００５３】
A concept 18 of the present invention is the electrical connector of the concept 14, further comprising a collar adjacently surrounding the untapered portion, in which the collar extends longitudinally beyond the shoulder to also surround part of the tapered portion. 
【００５４】
A concept 19 of the present invention is the electrical connector of the concept 18, in which the collar is conductive and is configured to shield an electrical signal passing through the electrical connector. 
【００５５】
A concept 20 of the present invention is the electrical connector of the concept 14, in which the resilient fingers have a yield strength greater than 150 ksi (1,034,214,000 Pa).
【符号の説明】
【００５６】
100  connector assembly 
101  blind-mate connector 
102  cable-end connector 
103  shroud connector 
104  collar 
105  coaxial cable
106  main body 
107  base portion 
108  tapered end
109  outer shoulder 
110  rightmost end
111  dielectric 
112  resilient finger
113  slot
114  base end 
115  distal end
116  protruding edge (fillet)
117  outer diameter 
118  right end
119  center pin
120  left end
121  tapered channel
122  inner diameter
123  radial groove 
124  inner diameter of radial groove
125  center conductor
126  test and measurement instrument 
【請求項１】
An electrical connector extending axially in a first direction and an opposite second direction, the electrical connector comprising:
a main body configured to connect to an electrical cable;
a base portion abutting the main body at a first end of the base portion and having an outer shoulder at a second end of the base portion, the base portion having an outer diameter smaller than an outer diameter of the main body; and
a tapered end extending and tapering from the outer shoulder of the base portion in the second direction, the tapered end comprising a plurality of resilient fingers separated by slots and extending away from the base portion in the second direction to a distal end of the resilient fingers, the slots extending radially through the tapered end, and the slots further extending axially in the first direction from the distal end of the resilient fingers through the outer shoulder of the base portion.
【請求項２】
The electrical connector of claim 1, further comprising a center conductor configured to carry an electrical signal through the electrical connector, and the base portion further comprises a dielectric axially surrounding a portion of the center conductor.
【請求項３】
The electrical connector of claim 1, further comprising a collar circumferentially surrounding the base portion, an outer diameter of the collar being substantially equal to the outer diameter of the main body.
【請求項４】
The electrical connector of claim 1, further comprising a shroud connector configured to repeatedly receive and release the tapered end of the electrical connector.
【請求項５】
An electrical connector comprising:
a first end configured to mate with an electrical cable;
a second end configured to mate with a shroud connector, the second end having a tapered portion, an untapered portion, and a shoulder separating the tapered portion and the untapered portion, the tapered portion comprising a plurality of resilient fingers separated by slots and extending longitudinally from the shoulder to a distal end of the tapered portion, the slots extending transversely through the tapered portion and longitudinally from the distal end of the resilient fingers to partially into the untapered portion.
【要約】
【課題】  Improve reliability of a micro connector.
【解決手段】  An electrical connector 100 includes a main body 106, a base portion 107, and a tapered end 108. The main body 106 is connected to an electrical cable. The base portion 107 abuts the main body 106 at a first end of the base portion 107 and has an outer shoulder 109 at a second end of the base portion 107. The tapered end 108 extends and tapers from the outer shoulder 109 in the second direction. The tapered end 108 includes a plurality of resilient fingers 112 separated by slots 113. The fingers 112 extend away from the base portion 107 in the second direction to a distal end of the fingers 112. The slots 113 extend radially through the tapered end 108. The slots 113 further extend axially in the first direction from the distal end through the outer shoulder 109.
【選択図】図２
【図１】
2017073385.tif 000010
【図２】
2017073385.tif 000011
【図３】
2017073385.tif 000012
【図４】
2017073385.tif 000013
【図５】
2017073385.tif 000014
【図６】
2017073385.tif 000015
【図７】
2017073385.tif 000016